(57)【要約】【課題】直流式ボックスファンを冷凍冷蔵ユニットに備え、省エネ効果の高い冷蔵庫を提供する。【解決手段】ユニットベース１６の下面に蒸発器１４と、蒸発器ファン１５を配置し、上面に圧縮機１１、凝縮器１２、凝縮器ファン１３を有する冷凍冷蔵ユニット１０で蒸発器ファン１５と凝縮器ファン１３を直流式ボックスファンとすることで省電力化となり、また蒸発器室１９、冷凍冷蔵ユニット１０内の無効空間を低減し、ファンによる冷却効率を高めるので省エネルギ−化が図れる。【選択図】  図２
2004333093.tif 000002
【特許請求の範囲】
【請求項１】
内部に断熱材を有するユニットベース上面に圧縮機、凝縮器、凝縮器ファンが取付けられ、前記ユニットベース下面には蒸発器と蒸発器ファンを有する冷凍冷蔵ユニットにおいて、前記蒸発器ファンは羽根部とモータ部が同一のケーシング内に収納された直流式ボックスファンであることを特徴とする冷凍冷蔵ユニット。
【請求項２】
蒸発器と蒸発器ファンの下部に除霜水を排水するドレンパンを有し、前記ドレンパンの上流側に前記蒸発器ファン、下流側に前記蒸発器を配置し、前記蒸発器ファンの吸込み側と吐出側を仕切る仕切板に前記蒸発器ファンは保持され、前記仕切板は前記ドレンパンに支持されていることを特徴とする請求項１に記載の冷凍冷蔵ユニット。
【請求項３】
蒸発器と蒸発器ファンは蒸発器室を区画するハウジング内に配置し、前記蒸発器ファンの吸込み側と吐出側を仕切る仕切板に前記蒸発器ファンは保持され、前記仕切板は前記ハウジングに支持されていることを特徴とする請求項１に記載の冷凍冷蔵ユニット。
【請求項４】
蒸発器ファンは蒸発器に対して傾斜配置し、蒸発器ファンに対向するユニットベースに凹部を形成したことを特徴とする請求項１に記載の冷凍冷蔵ユニット。
【請求項５】
蒸発器の下端部を蒸発器ファンの吐出側下端部より高位置になるよう構成したことを特徴とする請求項１から４のいずれかに記載の冷凍冷蔵ユニット。
【請求項６】
ハウジングを低熱伝導率の部材で構成したことを特徴とする請求項３に記載の冷凍冷蔵ユニット
【請求項７】
凝縮器ファンを直流式ボックスファンとしたことを特徴とする請求項１に記載の冷凍冷蔵ユニット。
【請求項８】
ユニットベースは内部にシート状の真空断熱材を配置した後、前記ユニットベース内部に一体発泡した断熱材が充填して形成されていることを特徴とする請求項１に記載の冷凍冷蔵ユニット。
【請求項９】
蒸発器ファンとして複数個の直流式ボックスファンを併設したことを特徴とする請求項１から５のいずれかに記載の冷凍冷蔵ユニット。
【請求項１０】
請求項１から９のいずれかの冷凍冷蔵ユニットを冷蔵庫本体上部に備えたことを特徴とする冷蔵庫。
【請求項１１】
冷蔵庫本体上部に圧縮機、凝縮器、凝縮器ファンが取付けられたユニットベースを備え、前記ユニットベース下面に蒸発器と蒸発器ファンと前記蒸発器の下部後方に除霜水を排出するドレンパイプを備えた冷蔵庫において、前記蒸発器空間内に接続する前記ドレンパイプの先端部は低熱伝導性の材質で構成したことを特徴とする冷蔵庫。
【請求項１２】
上面に圧縮機、凝縮器、凝縮器ファンを有し、下面に蒸発器空間の蒸発器と蒸発器ファンを備えたユニットベースを冷蔵庫本体上部の開口部に設置し、前記蒸発器空間が庫内に配置される冷蔵庫において、前記蒸発器空間を区画するハウジングによって庫内と区画され、前記ハウジングは前記ユニットベースに着脱可能に取付けられていることを特徴とする冷蔵庫。
【発明の詳細な説明】
【０００１】
【発明の属する技術分野】
本発明は、冷凍冷蔵ユニット及びそれを用いた冷蔵庫に関するものである。
【０００２】
【従来の技術】
近年、地球環境保護の観点から地球温暖化につながる二酸化炭素の排出量削減が強く求められており、電気機器の省エネルギー化の流れが一層加速しつつある。
【０００３】
そのような中、業務用冷蔵庫でも従来の冷凍能力偏重傾向を脱却し、省エネルギーに優れた製品が求められるようになってきている。
【０００４】
従来の業務用冷蔵庫としては、庫内ファンの配設について示したものがある（例えば、特許文献１参照。）。
【０００５】
以下、図面を参照しながら上記従来の業務用冷蔵庫を説明する。
【０００６】
図６は、従来の業務用冷蔵庫の縦断面図である。図７は従来の業務用冷蔵庫のユニットベース下部の縦断面図である。図８は従来の業務用冷蔵庫のユニットベース下部の部品配置図である。図６、図７、図８に示すように、従来の業務用冷蔵庫は、冷却装置を構成する圧縮機１と、凝縮器２と、庫外ファン３がユニットベース４の上面に取付けられ、冷却装置を構成する蒸発器５と、庫内ファン６がユニットベース４の下面に取付けられている。ユニットベース４には、庫内ファン６のモータ部を収納するための窪み７が設けられている。
【０００７】
以上のように構成された業務用冷蔵庫について、以下その動作を説明する。
まず、圧縮機１から吐出された高温のガス冷媒は、凝縮器２で凝縮器ファン３により冷却され液冷媒となり、図示しない減圧機構で減圧され気液二相冷媒となって蒸発器５へ流入する。そして、庫内ファン６により蒸発器５で発生する冷熱を循環させる。また、ユニットベース４に設けられた窪み７は、庫内ファン６のモータ部を収納する。
【０００８】
【特許文献１】
特開平６−１７４３６０号公報
【０００９】
【発明が解決しようとする課題】
しかしながら、上記従来の構成は、ユニットベース４に庫内ファン６のモータ部を収納するための窪み７が設けられているため、ユニットベース４の窪み７の部分の厚みが薄くなり、断熱性能が低下するという欠点があった。
【００１０】
本発明は従来の課題を解決するもので、ユニットベースに窪みを設けずに庫内ファンを収納し、断熱性能の低下を防止できる業務用冷蔵庫を提供することを目的とする。
【００１１】
【課題を解決するための手段】
本発明の請求項１に記載の発明は、内部に断熱材を有するユニットベース上面に圧縮機、凝縮器、凝縮器ファンが取付けられ、前記ユニットベース下面には蒸発器と蒸発器ファンを有する冷凍冷蔵ユニットにおいて、前記蒸発器ファンは直流式ボックスファンであり、蒸発器ファンの大幅な小型化が図れ、蒸発器へ空気を送る風路抵抗を低減し、さらにユニットベースとハウジングで囲まれた空間内に配置できるので、ユニットベースに固定する必要がなく断熱性能の低下を防止できる。
【００１２】
請求項２に記載の発明は、請求項１に記載の発明に、さらに、蒸発器と蒸発器ファンの下部に除霜水を排水するドレンパンを有し、前記ドレンパンの上流側に前記蒸発器ファン、下流側に前記蒸発器を配置し、前記蒸発器ファンの吸込み側と吐出側を仕切る仕切板に前記蒸発器ファンは保持され、前記仕切板は前記ドレンパンに支持されているものであり、ドレンパンと同時に着脱することができる。
【００１３】
請求項３に記載の発明は、請求項１に記載の発明において、蒸発器と蒸発器ファンは蒸発器室を区画するハウジング内に配置し、前記蒸発器ファンの吸込み側と吐出側を仕切る仕切板に前記蒸発器ファンは保持され、前記仕切板は前記ハウジングに支持されているものであり、ハウジングの着脱によって蒸発器ファンを同時に着脱することができる。
【００１４】
請求項４に記載の発明は、請求項１に記載の発明において、蒸発器ファンは蒸発器に対して傾斜配置し、蒸発器ファンに対向するユニットベースに凹部を形成したものであり、風路抵抗を小さくし蒸発器へ効率良く空気を流すことができる。
【００１５】
請求項５に記載の発明は、請求項１から請求項４のいずれか一項に記載の発明において、蒸発器の下端部を蒸発器ファンの吐出側下端部より高位置になるよう構成したもので蒸発器に対するボックスファンからの空気の流れの死角を無くすことができる。
【００１６】
請求項６に記載の発明は、請求項３に記載の発明において、ハウジングを低熱伝導率の部材で構成したものであり、蒸発器の除霜時に発生するヒータ熱により庫内が温められるのを抑制し、庫内の熱負荷増大を防止できる。
【００１７】
請求項７に記載の発明は、凝縮器ファンを直流式ボックスファンとしたものであり、蒸発器ファンと凝縮器ファンの両方を直流式にすることで、さらに省電力化を図り、構造的にもさらなる小型化が図れ、低コスト化が図れるという作用を有する。
【００１８】
請求項８に記載の発明は、請求項１に記載の発明において、ユニットベースは内部にシート状の真空断熱材を配置した後、前記ユニットベース内部に一体発泡した断熱材が充填して形成されているものであり、ユニットベース上下間での冷凍サイクル部品同士の熱的干渉を大幅に低減でき、省エネルギー化が図れるという作用を有する。
【００１９】
請求項９に記載の発明は、請求項１から請求項５のいずれか一項に記載の発明において、蒸発器ファンとして複数個の直流式ボックスファンを併設したものであり、蒸発器全体に均一に空気を流すことができ、熱交換効率を高めることができる。
【００２０】
請求項１０に記載の発明は、請求項１から９のいずれかに記載の発明において、冷凍冷蔵ユニットを冷蔵庫本体上部に備えたものであり、庫内の有効内容積を確保できる。
【００２１】
請求項１１に記載の発明は、冷蔵庫本体上部に圧縮機、凝縮器、凝縮器ファンが取付けられたユニットベースを備え、前記ユニットベース下面に蒸発器と蒸発器ファンと前記蒸発器の下部後方に除霜水を排出するドレンパイプを備えた冷蔵庫において、前記蒸発器空間内に接続する前記ドレンパイプの先端部は低熱伝導性の材質で構成したものであり、ドレンパイプを断熱することで熱損失を低減することができる。
【００２２】
請求項１２に記載の発明は、上面に圧縮機、凝縮器、凝縮器ファンを有し、下面に蒸発器空間の蒸発器と蒸発器ファンを備えたユニットベースを冷蔵庫本体上部の開口部に設置し、前記蒸発器空間が庫内に配置される冷蔵庫において、前記蒸発器空間を区画するハウジングによって庫内と区画され、前記ハウジングは前記ユニットベースに着脱可能に取付けられているものである。
【００２３】
【発明の実施の形態】
以下本発明による業務用冷蔵庫の実施の形態について、図面を参照しながら説明する。なお、従来と同一構成については、同一符号を付して詳細な説明を省略する。
【００２４】
（実施の形態１）
図１は、本発明の実施の形態１による業務用冷蔵庫の縦断面図である。図２は、同実施の形態のユニットベース下部の縦断面図である。
【００２５】
図１、図２に示すように、冷蔵庫本体８は貯蔵室空間９の上部に冷凍サイクルを構成する冷凍冷蔵ユニット１０を備え、その部分には圧縮機１１と凝縮器１２と減圧装置（キャピラリチューブ）（図示しない）と凝縮器ファン１３が配置され、圧縮機１１から吐出された冷媒は蒸発器１４を通り、蒸発器ファン１５によって貯蔵室空間９内に吐出される。
【００２６】
また貯蔵室空間９と冷凍冷蔵ユニット１０の配置において、貯蔵室空間９の天井部９ａの後方に略矩形状の開口部９ｂを備え、この開口部９ｂは断熱板１６（ユニットベース）によって上方から閉塞するもので、上面には圧縮機１１、凝縮器１２、凝縮器ファン１３が取付けられ、下面には蒸発器１４と蒸発器ファン１５が形成されている。
【００２７】
蒸発器ファン１５は直流式ボックスファン（以降ＤＣファンという）で、蒸発器ファン１５と蒸発器１４は貯蔵室空間９のほぼ天面に配置し、蒸発器ファン１５はファンケーシング１５ａが仕切板１７に固定され、仕切板１７は蒸発器１４の下部に配置した除霜水を受けるドレンパン１８に支持され固定している。
【００２８】
蒸発器ファン１５と蒸発器１４は蒸発器室１９を形成するように貯蔵室空間９と区画したハウジング２０が形成されている。蒸発器室１９の上面を形成するユニットベース１６の下面には凹部１６ａが形成され、蒸発器ファン１５に対応する位置に備えられている。またハウジング２０は樹脂製で形成されており、低熱伝導率の部材で構成されているので、蒸発器１４の除霜時に発生するヒータ熱により貯蔵室空間９内が温められるのを抑制することができる。
【００２９】
また仕切板１７はハウジング２０に直接固定されていてもよく、ハウジング２０の着脱によって同時に蒸発器ファン１５を着脱することができる。
【００３０】
図３は、ユニットベース１６下部の部品配置図である。
【００３１】
図３において、１つの蒸発器１４に対して２個のＤＣボックスファン１５ｂ，１５ｃがユニットベース１６に沿って冷蔵庫本体８の開口部側に設けられている。
【００３２】
以上のように構成された冷蔵庫８について、以下その動作を説明する。
【００３３】
まず、ＤＣボックスファン１５は羽根部とモータ部が同一のファンケーシング１５ａ内に収納されているため、大幅な小型化を図ることができ、冷凍冷蔵ユニットをコンパクトに設計することができる。
【００３４】
また蒸発器ファン１５のモータ部を固定するためにユニットベース１６に固定用の取付け部となる窪みを設けることなく、蒸発器ファン１５を仕切板１７で支持固定して取り付けることができ、ファン１５と蒸発器１４の間に機能部品等の風路抵抗になるものを排除できるので蒸発器１４による熱交換効率を高め、貯蔵室空間９内の冷却効率を高めることができる。
【００３５】
また蒸発器ファン１５で吸込んだ空気は凹部１６ａに一旦当たって図２の矢印のように蒸発器１４に循環するため、蒸発器室１９内での風路抵抗を低減することができる。
【００３６】
また蒸発器１４の前面長さ方向に沿って配設された２個のボックスファン１５ｂ、１５ｃから吐出される空気は、横長の蒸発器１４全体にほぼ均一に空気を流すことができる。
【００３７】
以上のように本実施の形態の冷蔵庫は、蒸発器１４に対して２個のＤＣボックスファン１５ｂ、１５ｃを蒸発器１４の前面長さ方向に沿って配設したものであり、横長の蒸発器１４全体にほぼ均一に空気を流すことができ、熱交換の高効率化が可能となり、省エネルギー化が図れる。
【００３８】
（実施の形態２）
図４は、本発明の実施の形態２によるユニットベースの縦断面図である。
【００３９】
なお、実施の形態１と同一構成については、同一符号を付して詳細な説明を省略する。
【００４０】
図４において、蒸発器１４の庫内側下端部１４ａをボックスファン１５の排気側端部１５ｄより高位置になるよう配置している。
【００４１】
以上のように構成された業務用冷蔵庫について、以下その動作を説明する。
【００４２】
蒸発器１４の庫内側下端部１４ａをボックスファン１５の排気側下端部１５ｄより高くなるよう構成したものであり、蒸発器１４に対するボックスファン１５からの空気の流れの死角を無くすことができる。
【００４３】
以上のように本実施の形態の冷蔵庫は、蒸発器１４の庫内側下端部１４ａをボックスファン１５の排気側下端部１５ｄより高くなるようにしたものであり、蒸発器１４に対するボックスファン１５からの空気の流れの死角を無くすことができ、熱交換の高効率化が可能となり、省エネルギー化が図れる。
【００４４】
なお、本実施の形態においてユニットベース１６のシール部１６ａ，１６ｂをハウジング２１の外側に位置させてもよい。ユニットベース１６のシール部１６ａ，１６ｂをハウジング２１の外側に位置させることにより、シール部１６ａ，１６ｂに蒸発器１４からの冷気が直接当たらないようにして、シール部１６ａ，１６ｂの断熱強化を図り、シール部１６ａ，１６ｂからの熱ロスが小さくなるため、省エネルギー化が図れるという効果が得られる。
【００４５】
また、本実施の形態においてハウジング２１の材質は規定していないが、ハウジング２１を熱伝導率の小さな材質で構成してもよい。ハウジング２１を熱伝導率の小さな材質で構成すると、蒸発器１４の除霜時に発生するヒータ熱により庫内が温められるのを抑制し、庫内の熱負荷の増大を防止して、省エネルギー化が図れるという効果が得られる。
【００４６】
また、本実施の形態においてドレンパイプ２２の材質は規定していないが、ドレンパイプ２２の少なくとも蒸発器室１９内に露出した部分を熱伝導率の小さな材質で構成してもよい。ドレンパイプ２２を熱伝導率の小さな材質で構成すると、蒸発器１４からの冷気が直接当たるドレンパイプ２２を断熱することができ、熱損失を低減し、全体として省エネルギー化が図れるという効果が得られる。
【００４７】
また図５は冷蔵庫の縦断面図でユニットベース２３の上部に圧縮機１１、凝縮器１２、凝縮器ファン１３を配設し、ユニットベース２３の下面に蒸発器１４、ＤＣボックスファン１５を配設したものであり、そしてユニットベース１６の内部には真空断熱材２４が埋設されている。
【００４８】
ユニットベース２３の上下面には上記のような冷凍サイクル部品や冷却機能部品がビス等によって固定されているため、ユニットベース２３内の上下面に接触して配置すると破損するおそれがある。このため真空断熱材２４はユニットベース２３内部のほぼ中間位置に埋設することが望ましい。この場合、ユニットベース２３の断熱材の一体発泡前に真空断熱材２４を支持部材等でユニットベース２３内空間に浮かした状態で固定し、ウレタンを充填し一体発泡を行う。これによってユニットベース２３の上下間での冷凍サイクル部品同士の熱的干渉を大幅に低減できる。
【００４９】
また、ユニットベース２３に設けられた冷凍サイクル配管の貫通穴の位置を両サイドに寄せておけば、配管の貫通穴を両サイドに寄せられるので、ユニットべース２３のほぼ中央部を１枚の真空断熱材２４で庫内外を断熱することができるので製造工数を大幅に削減でき、低コスト化を図ることができる。
【００５０】
【発明の効果】
本発明の請求項１に記載の発明は、内部に断熱材を有するユニットベース上面に圧縮機、凝縮器、凝縮器ファンが取付けられ、前記ユニットベース下面には蒸発器と蒸発器ファンを有する冷凍冷蔵ユニットにおいて、前記蒸発器ファンは直流式ボックスファンであり、蒸発器ファンの大幅な小型化が図れ、蒸発器へ空気を送る風路抵抗を低減し、さらにユニットベースとハウジングで囲まれた空間内に配置できるので、冷却効率を高め、省エネを図ることができる。
【００５１】
請求項２に記載の発明は、請求項１に記載の発明に、さらに、蒸発器と蒸発器ファンの下部に除霜水を排水するドレンパンを有し、前記ドレンパンの上流側に前記蒸発器ファン、下流側に前記蒸発器を配置し、前記蒸発器ファンの吸込み側と吐出側を仕切る仕切板に前記蒸発器ファンは保持され、前記仕切板は前記ドレンパンに支持されているものであり、取付けバラツキを低減し信頼性を高めることができる。
【００５２】
請求項３に記載の発明は、請求項１に記載の発明において、蒸発器と蒸発器ファンは蒸発器室を区画するハウジング内に配置し、前記蒸発器ファンの吸込み側と吐出側を仕切る仕切板に前記蒸発器ファンは保持され、前記仕切板は前記ハウジングに支持されているものであり、取付けバラツキを低減できる。
【００５３】
請求項４に記載の発明は、請求項１に記載の発明において、蒸発器ファンは蒸発器に対して傾斜配置し、蒸発器ファンに対向するユニットベースに凹部を形成したものであり、冷却効率を高めることができる。
【００５４】
請求項５に記載の発明は、請求項１から請求項４のいずれか一項に記載の発明において、蒸発器の下端部を蒸発器ファンの吐出側下端部より高位置になるよう構成したもので蒸発器ファンからの送風量を確保することができる。
【００５５】
請求項６に記載の発明は、請求項３に記載の発明において、ハウジングを低熱伝導率の部材で構成したものであり、蒸発器の除霜時に発生するヒータ熱により庫内が温められるのを抑制し、冷却効率を高めることができる。
【００５６】
請求項７に記載の発明は、凝縮器ファンを直流式ボックスファンとしたものであり、蒸発器ファンと凝縮器ファンの両方を直流式にすることで、さらに省エネを図ることができる。
【００５７】
請求項８に記載の発明は、請求項１に記載の発明において、ユニットベースは内部にシート状の真空断熱材を配置した後、前記ユニットベース内部に一体発泡した断熱材が充填して形成されているものであり、ユニットベース上下間での冷凍サイクル部品同士の熱的干渉を大幅に低減でき、省エネルギー化が図れる。
【００５８】
請求項９に記載の発明は、請求項１から請求項５のいずれか一項に記載の発明において、蒸発器ファンとして複数個の直流式ボックスファンを併設したものであり、冷却効率を高め、省エネ化を図れる。
【００５９】
請求項１０に記載の発明は、請求項１から９のいずれかに記載の発明において、冷凍冷蔵ユニットを冷蔵庫本体上部に備えたものであり、庫内の有効内容積を確保できる。
【００６０】
請求項１１に記載の発明は、冷蔵庫本体上部に圧縮機、凝縮器、凝縮器ファンが取付けられたユニットベースを備え、前記ユニットベース下面に蒸発器と蒸発器ファンと前記蒸発器の下部後方に除霜水を排出するドレンパイプを備えた冷蔵庫において、前記蒸発器空間内に接続する前記ドレンパイプの先端部は低熱伝導性の材質で構成したものであり、冷却効率を高めることができる。
【００６１】
請求項１２に記載の発明は、上面に圧縮機、凝縮器、凝縮器ファンを有し、下面に蒸発器空間の蒸発器と蒸発器ファンを備えたユニットベースを冷蔵庫本体上部の開口部に設置し、前記蒸発器空間が庫内に配置される冷蔵庫において、前記蒸発器空間を区画するハウジングによって庫内と区画され、前記ハウジングは前記ユニットベースに着脱可能に取付けられているものであり、サービス性を向上できる。
【図面の簡単な説明】
【図１】本発明による業務用冷蔵庫の実施の形態１の縦断面図
【図２】同実施の形態のユニットベース下部の縦断面図
【図３】本発明による業務用冷蔵庫の実施の形態２のユニットベース下部の部品配置図
【図４】本発明による業務用冷蔵庫の実施の形態３のユニットベース下部の縦断面図
【図５】本発明による業務用冷蔵庫の実施の形態４の縦断面図
【図６】従来の業務用冷蔵庫の縦断面図
【図７】従来の業務用冷蔵庫のユニットベース下部の縦断面図
【図８】従来の業務用冷蔵庫のユニットベース下部の部品配置図
【符号の説明】
８  冷蔵庫本体
１０  冷凍冷蔵ユニット
１１  圧縮機
１２  凝縮器
１３  凝縮器ファン
１４  蒸発器
１５  蒸発器ファン
１６  断熱板
１７  仕切板
１８  ドレンパン
１９  蒸発器室
２０、２１  ハウジング
２２  ドレンパイプ
２３  ユニットベース
２４  真空断熱材
【図１】
2004333093.tif 000003
【図２】
2004333093.tif 000004
【図３】
2004333093.tif 000005
【図４】
2004333093.tif 000006
【図５】
2004333093.tif 000007
【図６】
2004333093.tif 000008
【図７】
2004333093.tif 000009
【図８】
2004333093.tif 000010